(57)【要約】【課題】  入室管理システムにおけるカードリーダーの取付け構造であって、間仕切り装置の外観を損なうことなく、しかもメンテナンスや補修を容易に行うことが出来るカードリーダーの取付け構造の提供。【解決手段】  部屋の入口ドアや引戸付近には所定の間隔をいて２本のスタッド９，８ａを起立し、両スタッド間に形成される空間１５の表面側には表面パネル１３を設け、片方のスタッド９に取着した蝶番１０を介して取付け板１１を開閉可能に取付けると共に、該取付け板１１には上記表面パネル１３と近接又は接触状態でカードリーダー３を取着し、そして上記空間１５の背面側にはスタッド９に設けたスライドヒンジ２０を介して背面扉１６を開閉可能に取付けている。【選択図】    図２
2008057152.tif 000002
【特許請求の範囲】
【請求項１】
入室管理システムにおけるカードリーダーの取付け構造において、部屋の入口ドアや引戸付近には所定の間隔をおいて２本のスタッドを起立し、両スタッド間に形成される空間の表面側には正面パネルを設け、片方のスタッドに取着した蝶番などの継手を介して取付け板を開閉可能に取付けると共に、該取付け板には上記表面パネルと近接又は接触状態でカードリーダーを取着し、そして上記空間の背面側にはスタッドに設けたスライドヒンジなどの継手を介して背面扉を開閉可能に取付けたことを特徴とするカードリーダーの取付け構造。
【請求項２】
上記取付け板にはカードリーダーの他にテンキーを取付けた請求項１記載のカードリーダーの取付け構造。
【請求項３】
上記取付け板にはカードリーダーの他に指紋認証器を取付けた請求項１、又は請求項２記載のカードリーダーの取付け構造。
【請求項４】
上記両スタッド間に取着した取付け板には電源ユニット及びコントローラーを取付けた請求項１、請求項２、又は請求項３記載のカードリーダーの取付け構造。
【発明の詳細な説明】
【技術分野】
【０００１】
本発明はセキュリティが要求される特別な部屋へ入る際の管理システムを構成するカードリーダーの取付け構造に関するものである。
【背景技術】
【０００２】
高度情報社会において保護に値する情報ないし物品、装置類は極めて多く存在し、各種法人、地方公共団体、地方自治体、国家を問わずこれら秘匿性または機密性の高い情報や物品等が窃用若しくは盗難に遭遇すれば、諸団体自体ならびに責任者等にとって危急存亡の危機を招くことも起こり得る。なお、情報類の窃用若しくは盗難にはハードコピー、格納メディアの持ち出し、複写または電気通信回線を経由しての転送等による情報の内容のみの窃用ないし電子カメラによる盗撮等も含まれる。
【０００３】
このような機密性の高い情報や物品類を保護するための一つの方策として、これら秘密保持対象を保管ないし収蔵するエリアに対して不特定人を近づけないように配慮しなくてはならない。その為に、上記秘密保持対象を保管している部屋への入室を許可された人にＩＣカードを与え、入室時に所持しているＩＣカードを入口付近に設置しているカードリーダーにて読み取らせる方法が採られている。
【０００４】
ところで、カードリーダーを備えた入室管理システムに関する従来技術は色々知られている。例えば、特開２００６−１４４３８４号に係る「セキュリティ強化入室管理システム」は、機密保持対象の保管施設等への出入者を厳格に管理するためのものである。そこで、第1、第２の扉、両側壁との間に形成される閉鎖空間の床面に敷設される体重信号検出手段と、閉鎖空間内であって第２の扉付近に設置される入室適格者判別のための個人情報識別センサと、個人情報識別センサ及び前記体重信号検出手段の出力を受けて前記第１、第２の扉の施・開錠制御を行う制御手段と、を備え、前記制御手段は閉鎖空間内が無人である場合に第1の扉の開錠を許容し、その後体重信号検出手段の出力信号を受けて第1の扉から後続者の進入を拒絶するように施錠した後、前記閉鎖空間内に設置された個人情報識別センサによって検出される個人識別情報を照合することによって入室希望者を特定し適格者と判断されることを条件として第２の扉の開錠を許可する。
【０００５】
特開平７−１３９２３４号に係る「入室管理装置」は、入室者１名のみの入室を可能にするものであり、カードをカードリーダーに挿入しセキュリティデータが一致すると、ガードフラップのロックが解除され、把手を操作してガードフラップを開放すると、ドア、ガードフラップ及びガードバーの間に入室者１名分の空間が形成される。入室者が体重センサーに載ると体重が測定され、体重が１名分＋荷物分以下であると、入室者１名のみが入室しようとしていると判断して、ドアのロックを解除する。入室者がドアを開くとこれに伴ってガードフラップが閉じられ、ガードフラップがロックされ、ドアを閉じるとドアがロックされる。
【特許文献１】特開２００６−１４４３８４号に係る「セキュリティ強化入室管理システム」
【特許文献２】特開平７−１３９２３４号に係る「入室管理装置」
【発明の開示】
【発明が解決しようとする課題】
【０００６】
このように部屋への入室管理システムに関する技術は従来から色々開発されている。ところで、近年では大きな建物内を仕切って各種の部屋空間が作られるが、建物内部を仕切る為の手段として間仕切り装置が用いられることが多い。本発明が対象とする部屋もこの間仕切り装置によって仕切られ、入口には引戸やドアが取付けられている。ところで、間仕切り装置によって仕切られた部屋の入口付近に入室管理システムを構成するカードリーダーを取付けることになるが、このカードリーダーの取付けに関し、後のメンテナンスや補修を考慮した取付け構造でなくてはならない。
【０００７】
又、入口付近に取付けたカードリーダーが間仕切り装置の外観を損なうような取付け構造であってはならない。本発明は間仕切り装置の外観を損なうことなく、しかもメンテナンスや補修が容易に行うことが出来るカードリーダーの取付け構造を提供する。
【課題を解決するための手段】
【０００８】
本発明のカードリーダー取付け構造は、入口の付近に所定の間隔をおいて起立したスタッド間に形成される空間にカードリーダーを取付けている。又、必要に応じてカードリーダーの他にテンキーや指紋認証器を取付けることもある。カードリーダーは取付け板に取着されるが、この取付け板は一方のスタッドに設けた蝶番などの継手を介して開閉可能としており、他方のスタッドには閉じた取付け板の先端を止着する為の止着手段を備えている。例えば、ネジ止めすることが出来る。
【０００９】
そして、スタッドの背面側には背面扉が取付けられて開閉可能としている。カードリーダーを点検する場合には背面扉を開いてから取付け板を開くことで行われる。カードリーダーは取付け板の正面側に取着され、同じくテンキー及び指紋認証器も正面側に取着されている。そして、スタッドの正面側には正面パネルが取付けられて上記カードリーダーは正面パネルに近接又は接している。
【００１０】
従って、ＩＣカードなどを正面パネルに近づけることで該正面パネルの背面側に配置されるカードリーダーは機能する。勿論、テンキーも正面パネル側から操作し、指紋認証器も正面パネルに設けた開口から行われる。ここで、上記正面パネルの取付け構造は特に限定しないが、間仕切り装置の間仕切りパネルとほぼ同一面と成るようにパネル押えによって取付けることが出来る。
【発明の効果】
【００１１】
カードリーダーは入口付近に起立した両スタッドによって形成される空間に取付けられ、しかもカードリーダーは開閉出来る取付け板に取着されている為に、メンテナンスや補修が必要な時には該取付け板を開いて行うことが出来る。そして、カードリーダーの正面には表面パネルが取付けられているために、表面パネルを介して非接触状態で機能し、その為にカードリーダーが表面化しない為に、間仕切り装置の外観を損なうことはない。又、背後には背面扉が取付けられているが、間仕切りパネルと同じ外観となっている。
【実施例】
【００１２】
図１はカードリーダーを備えた間仕切り装置の正面図を表している。同図の１はドア、２は間仕切りパネル、３はカードリーダー、４はテンキー及び指紋認証器をそれぞれ表している。上記ドア１は通常ロックされていて、誰でも開いて入室することは出来ない。入室する際にはドア１の隣に備えている上記カードリーダー３、テンキー及び指紋認証器４にて確認された人だけがドア１を開くことが出来るように自動管理されている。
【００１３】
本発明では上記カードリーダー３、テンキー及び指紋認証器４の具体的な構成は限定しない。例えば、カードリーダー３の場合、該カードリーダー３から微弱な電波を放出し、各自が所持しているＩＣカードを近づけるならば、カードに組み込んでいるＩＣチップの固有情報をカードリーダー３へ送り出すように構成することが出来る。
【００１４】
図２は入口のドア１とカードリーダー３の取付け構造を示す断面図であり、ドア１は部屋の入口５に取付けられ、ヒンジ６を介して開閉可能と成っている。該ドア１は間仕切り装置の一部として構成され、入口５には門形枠体が据え付けられ、上記ヒンジ６は門形枠体の一方側縦桟７ｂに取着され、他方側の縦桟７ａはドア１が閉じる際の戸当りとしている。
【００１５】
門形枠体の両縦桟７ａ，７ｂの両側にはスタッド８ａ，８ｂが起立している。そして、該スタッド８ａと所定の距離を隔てた位置には別なスタッド９が起立しており、両スタッド９，８ａ間の空間１５にカードリーダー３が取付けられている。スタッド９には蝶番１０が設けられ、この蝶番１０には取付け板１１が開閉可能に取付けられている。
【００１６】
そして、上記カードリーダー３はこの取付け板１１の正面側に取着される。同図の実線は取付け板１１が閉じている場合であって、取付け板１１の先端はスタッド８ａに固定したＬ形金具１２にネジ止めされている。ところで、両スタッド９，８ａにて形成される空間１５の正面側には正面パネル１３が取付けられていて、上記カードリーダー３が表面化しない用にカバーされている。ここで、正面パネル１３はスタッド９，８ａの内側にネジ止めしたパネル押え１４ａ，１４ｂに形成している溝に側縁が嵌って取付けられている。
【００１７】
正面パネル１３はガラス板で構成され、裏面にはカードリーダー３が透けて見えないようにシールが貼着されている。ところで、取付け板１１の正面側にカードリーダー３が取着されることで、該カードリーダー３のメンテナンス又は補修時には、点線で示しているように取付け板１１を開いて行うことが出来る。すなわち、本発明ではメンテナンスなどの作業性を考慮して開閉出来る取付け板１１に取着した取付け構造と成っている。
【００１８】
この取付け板１１には上記カードリーダー３の他にテンキー及び指紋認証器４も取着されていて、テンキー及び指紋認証器４のメンテナンスや補修時にも取付け板１１を開いて行うことが出来る。そして、両スタッド９，８ａ間に形成される空間１５の背面側には背面扉１６を取付けていて、上記取付け板１１をカバーしている。又、後述する電源ユニット１７及びコントローラー１８をカバーしている。
【００１９】
背面扉１６はスタッド９に設けたスライドヒンジ２０によって開閉出来るように取り付けられている。勿論、背面扉１６の取付け継手をスライドヒンジ２０に限定するものではないが、スライドヒンジ２０に備わっているバネ力によって背面扉１６は常に閉じるように作用する。
【００２０】
そして、背面扉１６は間仕切り用のパネル２とほぼ同一形状とし、部屋の内側からは幅の狭いパネルが据え付けられていて間仕切り装置の一部を構成しているパネル外観を呈している。一方、上記両スタッド９，８ａ間の空間１５には電源ユニット１７とコントローラー１８が収容されている。これら、電源ユニット１７及びコントローラー１８は上記カードリーダー３の下方に収容され、両スタッド９，８ａに跨って取着した取付け板１９に取付けられている。
【００２１】
図３は電源ユニット１７を取付け板１９に取付けた場合の断面図を表しているが、電源ユニット１７及びコントローラー１８は該取付け板１９の背面側に取り付けられている。従って、背面扉１６を開くことで電源ユニット１７及びコントローラー１８のメンテナンスや補修を行うことが出来る。
【００２２】
該コントローラー１８は制御装置であり、カードリーダー３、テンキー及び指紋認証器４からの信号を受けて、ドア１のロックを開錠することが出来る。電源ユニット１７は上記カードリーダー３、テンキー及び指紋認証器４が作動するに必要な電源として機能している。
【図面の簡単な説明】
【００２３】
【図１】ドアの隣にカードリーダー、テンキー及び指紋認証器を備えた間仕切り装置。
【図２】本発明に係るカードリーダーの取付け構造。
【図３】電源ユニットの取付け構造。
【符号の説明】
【００２４】
１  ドア
２  パネル
３  カードリーダー
４  テンキー及び指紋認証器
５  入口
６  ヒンジ
７  縦桟
８  スタッド
９  スタッド
10  蝶番
11  取付け板
12  Ｌ形金具
13  正面パネル
14  パネル押え
15  空間
16  背面扉
17  電源ユニット
18  コントローラー
19  取付け板
20  スライドヒンジ
【図１】
2008057152.tif 000003
【図２】
2008057152.tif 000004
【図３】
2008057152.tif 000005